【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
複数の光源手段と、副走査断面内において前記複数の光源手段から出射した複数の光束を互いに異なる角度をもって偏向手段の同一の偏向面に入射させる入射光学系と、前記偏向手段の同一偏向面で偏向された複数の光束を互いに異なる感光体上に結像させる結像光学系と、を備えた画像形成装置であって、
前記結像光学系は、前記偏向手段から最も離間した感光体に導かれる光束の光路中に１枚の反射部材が配置される第１の光学系を有しており、
前記反射部材は、前記第１の光学系を構成する結像光学素子のうち、光路中で感光体に最も近い結像光学素子と感光体との間の光路中に設けられており、
前記感光体における主走査方向の有効走査幅をＷ（ｍｍ）、前記結像光学系の主走査方向の焦点距離をｆ（ｍｍ）、前記偏向手段の偏向点から前記感光体までの光路長をＬ（ｍｍ）、副走査断面内において隣接する２つの感光体の中心間の距離をＤｐ（ｍｍ）とするとき、
（１／３）Ｗ≦ｆ≦Ｗ
（１／３）ｆ≦Ｄｐ≦（２／３）ｆ
（１／３）ｆ≦Ｌ−１．５Ｄｐ≦（４／５）ｆ
なる条件を満足することを特徴とする画像形成装置。
【請求項２】
前記偏向手段で偏向される複数の光束は、前記結像光学系を構成する結像光学素子のうち、光路中で感光体に最も近い同一の結像光学素子を通過することを特徴とする請求項１に記載の画像形成装置。
【請求項３】
前記結像光学系を構成する結像光学素子のうち、光路中で感光体に最も近い結像光学素子には、副走査断面内において前記偏向手段で偏向された複数の光束が互いに異なる領域を通過しており、前記感光体に最も近い結像光学素子は、副走査断面内において、前記互いに異なる領域に対してそれぞれ異なる関数で定義された形状より成る少なくとも１枚の光学面を有することを特徴とする請求項１又は２に記載の画像形成装置。
【請求項４】
副走査断面内において、前記偏向面上の光束が前記感光体に結像するときの前記結像光学系の副走査断面内の結像倍率をβｓとするとき、
｜βｓ｜≦１．５
なる条件を満足することを特徴とする請求項１、２又は３に記載の画像形成装置。
【請求項５】
前記結像光学系を構成する結像光学素子のうち少なくとも１つの結像光学素子は、主走査方向の最大有効径をＹｍａｘ（ｍｍ）とするとき、
Ｙｍａｘ≦（４／５）ｆ
なる条件を満足することを特徴とする請求項１から４の何れか１項に記載の画像形成装置。
【請求項６】
前記偏向手段に物理的に最も近い感光体に光束を導く光路中には複数の反射部材が配置されており、前記複数の反射部材のうち、光路中で前記偏向手段に最も近い反射部材の反射点から前記感光体に最も近い反射部材の反射点までの光路長をＬ１（ｍｍ）、光路中で前記偏向手段に最も近い反射部材への入射光束の主光線と反射光束の主光線との成す副走査断面内における角をθ（°）とするとき、
（Ｌ１＋０．５Ｄｐ−Ｌ／（１＋｜βｓ｜））ｔａｎθ≦１０（ｍｍ）
なる条件を満足することを特徴とする請求項１から５の何れか１項に記載の画像形成装置。
【請求項７】
副走査断面内において、前記偏向手段に物理的に最も近い感光体に光束を導く反射部材のうち、光路中で前記感光体に最も近い反射部材の反射点から前記感光体までの光路長をＬ２（ｍｍ）とするとき、
Ｌ２≦４０（ｍｍ）
なる条件を満足することを特徴とする請求項１から６の何れか１項に記載の画像形成装置。
【請求項８】
前記複数の光源手段は、各々複数の発光部を有することを特徴とする請求項１から７の何れか１項に記載の画像形成装置。
【手続補正２】
【補正対象書類名】明細書
【補正対象項目名】００１６
【補正方法】変更
【補正の内容】
【００１６】
請求項１の発明の画像形成装置は、複数の光源手段と、副走査断面内において前記複数の光源手段から出射した複数の光束を互いに異なる角度をもって偏向手段の同一の偏向面に入射させる入射光学系と、前記偏向手段の同一偏向面で偏向された複数の光束を互いに異なる感光体上に結像させる結像光学系と、を備えた画像形成装置であって、
前記結像光学系は、前記偏向手段から最も離間した感光体に導かれる光束の光路中に１枚の反射部材が配置される第１の光学系を有しており、
前記反射部材は、前記第１の光学系を構成する結像光学素子のうち、光路中で感光体に最も近い結像光学素子と感光体との間の光路中に設けられており、
前記感光体における主走査方向の有効走査幅をＷ（ｍｍ）、前記結像光学系の主走査方向の焦点距離をｆ（ｍｍ）、前記偏向手段の偏向点から前記感光体までの光路長をＬ（ｍｍ）、副走査断面内において隣接する２つの感光体の中心間の距離をＤｐ（ｍｍ）とするとき、
（１／３）Ｗ≦ｆ≦Ｗ
（１／３）ｆ≦Ｄｐ≦（２／３）ｆ
（１／３）ｆ≦Ｌ−１．５Ｄｐ≦（４／５）ｆ
なる条件を満足することを特徴としている。
【手続補正３】
【補正対象書類名】明細書
【補正対象項目名】００１７
【補正方法】変更
【補正の内容】
【００１７】
請求項２の発明は請求項１の発明において、前記偏向手段で偏向される複数の光束は、前記結像光学系を構成する結像光学素子のうち、光路中で感光体に最も近い同一の結像光学素子を通過することを特徴としている。
【手続補正４】
【補正対象書類名】明細書
【補正対象項目名】００１８
【補正方法】変更
【補正の内容】
【００１８】
請求項３の発明は請求項１又は２の発明において、前記結像光学系を構成する結像光学素子のうち、光路中で感光体に最も近い結像光学素子には、副走査断面内において前記偏向手段で偏向された複数の光束が互いに異なる領域を通過しており、前記感光体に最も近い結像光学素子は、副走査断面内において、前記互いに異なる領域に対してそれぞれ異なる関数で定義された形状より成る少なくとも１枚の光学面を有することを特徴としている。
【手続補正５】
【補正対象書類名】明細書
【補正対象項目名】００１９
【補正方法】変更
【補正の内容】
【００１９】
請求項４の発明は請求項１、２又は３の発明において、副走査断面内において、前記偏向面上の光束が前記感光体に結像するときの前記結像光学系の副走査断面内の結像倍率をβｓとするとき、
｜βｓ｜≦１．５
なる条件を満足することを特徴としている。
【手続補正６】
【補正対象書類名】明細書
【補正対象項目名】００２０
【補正方法】変更
【補正の内容】
【００２０】
請求項５の発明は請求項１から４の何れか１項の発明において、前記結像光学系を構成する結像光学素子のうち少なくとも１つの結像光学素子は、主走査方向の最大有効径をＹｍａｘ（ｍｍ）とするとき、
Ｙｍａｘ≦（４／５）ｆ
なる条件を満足することを特徴としている。
【手続補正７】
【補正対象書類名】明細書
【補正対象項目名】００２１
【補正方法】変更
【補正の内容】
【００２１】
請求項６の発明は請求項１から５の何れか１項の発明において、前記偏向手段に物理的に最も近い感光体に光束を導く光路中には複数の反射部材が配置されており、前記複数の反射部材のうち、光路中で前記偏向手段に最も近い反射部材の反射点から前記感光体に最も近い反射部材の反射点までの光路長をＬ１（ｍｍ）、光路中で前記偏向手段に最も近い反射部材への入射光束の主光線と反射光束の主光線との成す副走査断面内における角をθ（°）とするとき、
（Ｌ１＋０．５Ｄｐ−Ｌ／（１＋｜βｓ｜））ｔａｎθ≦１０（ｍｍ）
なる条件を満足することを特徴としている。
【手続補正８】
【補正対象書類名】明細書
【補正対象項目名】００２２
【補正方法】変更
【補正の内容】
【００２２】
請求項７の発明は請求項１から６の何れか１項の発明において、副走査断面内において、前記偏向手段に物理的に最も近い感光体に光束を導く反射部材のうち、光路中で前記感光体に最も近い反射部材の反射点から前記感光体までの光路長をＬ２（ｍｍ）とするとき、
Ｌ２≦４０（ｍｍ）
なる条件を満足することを特徴としている。
【手続補正９】
【補正対象書類名】明細書
【補正対象項目名】００２３
【補正方法】変更
【補正の内容】
【００２３】
請求項８の発明は請求項１から７の何れか１項の発明において、前記複数の光源手段は、各々複数の発光部を有することを特徴としている。
【手続補正１０】
【補正対象書類名】明細書
【補正対象項目名】００８７
【補正方法】変更
【補正の内容】
【００８７】
また本実施例では光偏向器５から物理的に最も近接した感光体７Ｂの被走査面７ｂに光束を導く平面ミラーの中で、最も光偏向器５側の平面ミラー８ａの反射点８ａ１から最も被走査面７ｂ側の平面ミラー８ｂの反射点８ｂ１までの光偏向器５の回転軸に垂直な方向の距離（光路長）をＬ１（ｍｍ）とする。さらに最も光偏向器５側の平面ミラー８ａへの入射光束の主光線と反射光束の主光線との成す副走査断面内における角をθ（°）とするとき、
（Ｌ１＋０．５Ｄｐ−Ｌ／（１＋｜βｓ｜））ｔａｎθ≧１０（ｍｍ）‥‥(6)
なる条件を満たすように各要素を設定している。